(57)【要約】【課題】１台のリモートコントロール送信機によって２台の被制御機器のいずれかを簡単に選択して遠隔制御でき、また、意図しない被制御機器を誤動作させる恐れがないリモートコントロール送信機を提供する。【解決手段】球冠状突部により隔てられるケースの長尺側平面と短尺側平面に分けて、第１被制御機器を制御する為の複数の第１入力操作部と、第２被制御機器を制御する為の第２入力操作部を配設し、制御しようとする被制御機器に応じて細長板状のケースを握り持つ向きを変え、球冠状突部より離れた位置に配設された第１入力操作部若しくは第２入力操作部への入力操作から生成される制御データを被制御機器へ送信する。【選択図】図１
2010193108.tif 000002
【特許請求の範囲】
【請求項１】
全体が細長板状に形成され、平面の長手方向の中心から偏倚した位置に球冠状突部が突設されたケースと、
球冠状突部への入力操作を検出する球冠状入力操作部と、
球冠状突部により隔てられるケースの長尺側平面に配設される複数の第１入力操作部と、
球冠状突部により隔てられるケースの短尺側平面に配設される複数の第２入力操作部と、
ケースの短尺側と長尺側に一組のグリップ検出電極が取り付けられ、いずれかのグリップ検出電極の静電容量の変化から、操作者がケースを握る位置を検出する静電容量式センサーと、
球冠状入力操作部と第１入力操作部と第２入力操作部のいずれかへの入力操作から、被制御機器を遠隔制御する制御データを生成する制御データ生成手段と、
制御データ生成手段で生成された制御データを被制御機器へ送信する送信手段と、
を備えたリモートコントロール送信機であって、
静電容量式センサーが前記ケースの短尺側を握る位置を検出した際に、制御データ生成手段は、球冠状入力操作部と第１入力操作部のいずれかへの入力操作から、第１被制御機器を遠隔制御する制御データを生成するとともに、
静電容量式センサーが前記ケースの長尺側を握る位置を検出した際に、制御データ生成手段は、球冠状入力操作部と第２入力操作部のいずれかへの入力操作から、第２被制御機器を遠隔制御する制御データを生成することを特徴とするリモートコントロール送信機。
【請求項２】
球冠状入力操作部は、球冠状突部の表面に沿って配置された入力検出電極での静電容量の変化から、球冠状突部への入力操作を非接触で検出する静電容量式スイッチであることを特徴とする請求項１に記載のリモートコントロール送信機。
【請求項３】
静電容量式センサーが前記ケースの長尺側を握る位置を検出した際に、第２入力操作部を照光し、前記ケースの短尺側を握る位置を検出した際に、第１入力操作部を照光する照光手段がケース内に取り付けられることを特徴とする請求項１に記載のリモートコントロール送信機。
【請求項４】
第１被制御機器は、テレビジョン受像機であり、第２被制御機器は、第１被制御機器より制御データの数が少ないＤＶＤレコーダであることを特徴とする請求項１乃至３のいずれか１項に記載のリモートコントロール送信機。
【発明の詳細な説明】
【技術分野】
【０００１】
本発明は、入力操作に応じた制御データを被制御機器へ送信し、制御データに従って被制御機器を遠隔制御するリモートコントロール装置に関し、更に詳しくは、１台で２種類の被制御機器を遠隔制御するリモートコントロール送信機に関する。
【背景技術】
【０００２】
一般に家電機器には、個別にその機器の動作を遠隔制御する専用のリモートコントロール送信機が同梱されているが、家庭内に他種類の家電機器が配置されると、その数に応じてリモートコントロール送信機が増加するので、例えば、テレビジョン受像器とＤＶＤレコーダのように同時に使用することが多い２種類の家電機器に対しては、一台で２種類の家電機器を遠隔制御するリモートコントロール送信機が提案されている（例えば特許文献１）。
【０００３】
図７は、この特許文献１に記載の従来のリモートコントロール送信機１００の一例を示す平面図であり、全体が細長板状に形成されたケース１０１の平面の長手方向のほぼ中央に、入力操作を受け付ける円板状操作板１０２が取り付けられている。また、この円板状操作板１０２で区切られるケース１０１の一側平面１０１ａに、テレビジョン受像機を遠隔制御する入力キーからなる複数の第１入力操作部１０３が、他側平面１０１ｂに、ＤＶＤレコーダを遠隔制御する入力キーからなる複数の第２入力操作部１０４が配設されている。
【０００４】
リモートコントロール送信機１００は、第１入力操作部１０３のいずれかへの入力操作を検出すると、その第１入力操作部１０３に対応するテレビジョン受像機の制御データを生成し、また、第２入力操作部１０４のいずれかへの入力操作を検出すると、その第２入力操作部１０４に対応するＤＶＤレコーダの制御データを生成し、それぞれ送信部１０５からこれらの被制御機器へ送信する。尚、円板状操作板１０２は、被制御機器に表示されたカーソルを移動させたり、画像をコマ送り、早送りさせる場合など、キー入力には適さない連続制御を、円板状操作板１０２の一方向を押圧操作で実行する為の入力操作部で、テレビジョン受像機とＤＶＤレコーダの制御に共通の入力操作部となっている。
【０００５】
図８は、特許文献１に記載の他の従来のリモートコントロール送信機２００を示す平面図であり、ケース２０１の平面に、複数の被制御機器（テレビジョン受像機、外部１、外部２）を切り替える切換スイッチ２０２と、多数の入力操作部２０３が取り付けられている。この従来のリモートコントロール送信機２００は、切換スイッチ２０２で選択する被制御機器と入力操作された入力操作部２０３との組合せから、選択された被制御機器を遠隔制御する制御データを生成して送信部２０４から送信するもので、これにより、１種類の入力操作部２０３を備えたリモートコントロール送信機２００で複数の被制御機器を制御することができる。
【先行技術文献】
【特許文献】
【０００６】
【特許文献１】特開２００８−２４４５７８号公報（明細書項目００２１乃至００２６、図３、図４）
【発明の概要】
【発明が解決しようとする課題】
【０００７】
上述した従来のリモートコントロール送信機１００では、送信部１０５を被制御機器へ向けてケース１０１を握る操作者に対してケース１０１の向きが定まっているので、被制御機器（ＤＶＤレコーダ）を遠隔制御する場合には、円板状操作板１０２を操作可能な位置でケース１０１を握った親指を、手元へ折り曲げて他側平面１０１ｂの第２入力操作部１０４を入力しなけれずならず、操作しづらいものであった。
【０００８】
更に、円板状操作板１０２を操作可能な位置でケース１０１を握る操作者の手により、一部の第２入力操作部１０４が隠れるので、隠れた第２入力操作部１０４を探すためにケース１０１を握り直す煩わしさがあるとともに、円板状操作板１０２を入力操作する手の一部が第２入力操作部１０４を誤入力し、意図しない制御内容で被制御機器が制御されることがあった。
【０００９】
また、切換スイッチ２０２により被制御機器を切り替える従来のリモートコントロール送信機２００では、遠隔制御する被制御機器毎に切換スイッチ２０２を切り替え操作する煩わしさがあり、更に、切換スイッチ２０２の操作を忘れて、意図しない被制御機器が誤って制御されることがあった。
【００１０】
本発明は、このような従来の問題点を考慮してなされたものであり、１台のリモートコントロール送信機によって２台の被制御機器のいずれかを簡単に選択して遠隔制御でき、また、意図しない被制御機器を誤動作させる恐れがないリモートコントロール送信機を提供することを目的とする。
【課題を解決するための手段】
【００１１】
上述の目的を達成するため、請求項１のリモートコントロール送信機は、全体が細長板状に形成され、平面の長手方向の中心から偏倚した位置に球冠状突部が突設されたケースと、球冠状突部への入力操作を検出する球冠状入力操作部と、球冠状突部により隔てられるケースの長尺側平面に配設される複数の第１入力操作部と、球冠状突部により隔てられるケースの短尺側平面に配設される複数の第２入力操作部と、ケースの短尺側と長尺側に一組のグリップ検出電極が取り付けられ、いずれかのグリップ検出電極の静電容量の変化から、操作者がケースを握る位置を検出する静電容量式センサーと、球冠状入力操作部と第１入力操作部と第２入力操作部のいずれかへの入力操作から、被制御機器を遠隔制御する制御データを生成する制御データ生成手段と、制御データ生成手段で生成された制御データを被制御機器へ送信する送信手段と、を備えたリモートコントロール送信機であって、
静電容量式センサーが前記ケースの短尺側を握る位置を検出した際に、制御データ生成手段は、球冠状入力操作部と第１入力操作部のいずれかへの入力操作から、第１被制御機器を遠隔制御する制御データを生成するとともに、静電容量式センサーが前記ケースの長尺側を握る位置を検出した際に、制御データ生成手段は、球冠状入力操作部と第２入力操作部のいずれかへの力操作から、第２被制御機器を遠隔制御する制御データを生成することを特徴とする。
【００１２】
ケースの短尺側を握ると、球冠状入力操作部と第１入力操作部のいずれかへの入力操作から、第１被制御機器を遠隔制御する制御データが第１被制御機器へ送信され、ケースの長尺側を握ると、球冠状入力操作部と第２入力操作部のいずれかへの入力操作から、第２被制御機器を遠隔制御する制御データが第２被制御機器へ送信される。第１入力操作部と第２入力操作部は、それぞれ球冠状入力操作部から離れた位置となる向きにケースが握られたときに、対応する制御データが生成されるので、球冠状入力操作部を入力操作する親指を手元に折り曲げずに容易に入力操作することができる。
【００１３】
また、球冠状入力操作部の手前の位置となった第１入力操作部又は第２入力操作部への入力操作を検出しても制御データの生成を禁止することができるので、誤って意図しない被制御機器へ制御データが送信されることがない。
【００１４】
より多数の入力操作部を要する被制御機器を第１被制御機器として、球冠状入力操作部で隔てられる長尺側平面に第１入力操作部を配設することができるので、２種類の被制御機器を制御する多数の第１入力操作部と第２入力操作部を、限られたケースの平面上に効率よく配置できる。
【００１５】
請求項２のリモートコントロール送信機は、球冠状入力操作部が、球冠状突部の表面に沿って配置された入力検出電極での静電容量の変化から、球冠状突部への入力操作を非接触で検出する静電容量式スイッチであることを特徴とする。
【００１６】
ケースの平面から球冠状突部が突出するので、球冠状突部に親指が触れるだけで、球冠状入力操作部の位置と入力操作方向を確認できる。
【００１７】
静電容量式センサーのグリップ検出電極の静電容量の変化と、球冠状入力操作部の入力検出電極の静電容量の変化を、共通の静電容量検出回路を用いて検出できる。
【００１８】
請求項３のリモートコントロール送信機は、静電容量式センサーが前記ケースの長尺側を握る位置を検出した際に、第２入力操作部を照光し、前記ケースの短尺側を握る位置を検出した際に、第１入力操作部を照光する照光手段がケース内に取り付けられることを特徴とする。
【００１９】
入力操作の検出から対応した制御データが生成される入力操作部が照光される。
【００２０】
請求項４のリモートコントロール送信機は、第１被制御機器は、テレビジョン受像機であり、第２被制御機器は、第１被制御機器より制御データの数が少ないＤＶＤレコーダであることを特徴とする。
【００２１】
テレビジョン受像機を制御する為の多数の第１入力操作部は、長尺側平面に、ＤＶＤレコーダを制御する為の第１入力操作部より少ない数の第２入力操作部は、短尺側平面に、それぞれ配設される。
【発明の効果】
【００２２】
請求項１の発明によれば、操作者が握るケースの向きにより、制御しようとする被制御機器を選択することができ、選択した被制御機器の制御は、球冠状入力操作部と、球冠状入力操作部から離れた第１入力操作部又は第２入力操作部への入力操作により、ケースを握る親指で容易に入力操作できる。
【００２３】
また、２種類の被制御機器を制御する第１入力操作部と第２入力操作部入力操作部を、ケースの同一平面上へ設けても、ケースを必要最小限の大きさとすることができる。
【００２４】
請求項２の発明によれば、ケースを握る操作者の親指が球冠状突部に触れるだけで、目視して確認することなく、球冠状入力操作部の位置と入力操作方向が確認できる。
【００２５】
球冠状入力操作部の入力検出電極の静電容量の変化を、静電容量式センサーの静電容量検出回路を用いて検出できるので、新たに別の検出回路を設ける必要がない。
【００２６】
これに加えて請求項３の発明によれば、制御データが送信される入力操作部が照光されることにより、確認できる。
【００２７】
請求項４の発明によれば、テレビジョン受像機を制御する為の多数の第１入力操作部とＤＶＤレコーダを制御する為の小数の第２入力操作部とを、それぞれ球冠状突部により隔てられる長尺側平面と短尺側平面に効率的に配設できる。
【図面の簡単な説明】
【００２８】
【図１】本発明の一実施の形態に係るリモートコントロール送信機１の斜視図である。
【図２】リモートコントロール送信機１の平面図である。
【図３】リモートコントロール送信機１を長手方向に沿って切断した縦断面図である。
【図４】リモートコントロール送信機１の要部構成の関係を示すブロック図である。
【図５】ＤＶＤレコーダを遠隔制御するリモートコントロール送信機１の使用状態を示す斜視図である。
【図６】テレビジョン受像機を遠隔制御するリモートコントロール送信機１の使用状態を示す斜視図である。
【図７】従来のリモートコントロール送信機１００の平面図である。
【図８】他の従来のリモートコントロール送信機２００の平面図である。
【発明を実施するための形態】
【００２９】
以下、本発明に係るリモートコントロール送信機（以下、リモコンという）を、テレビジョン受像機とＤＶＤレコーダを遠隔制御するリモコン１として、図１乃至図６を用いて説明する。図１は、リモコン１の斜視図、図２は、リモコン１の平面図、図３は、リモコン１を長手方向に沿って切断した縦断面図、図４は、リモコン１の要部構成の関係を示すブロック図、図５は、ＤＶＤレコーダを遠隔制御するリモコン１の使用状態を示す斜視図図６は、テレビジョン受像機を遠隔制御するリモコン１の使用状態を示す斜視図であり、リモコン１の各部の向きは、図２の上方を前方と、下方を後方として説明する。
【００３０】
図中２は、合成樹脂製の絶縁ケースであり、片手で握り持つことが可能な細長板状に形成され、長方形状の平面の長手方向の中心から後方寄りに、球冠状突部２ａが一体に形成されている。ケース２の平面には、テレビジョン受像機を制御する制御内容に個々に対応する複数のＴＶ用入力キー３、３・・と、ＤＶＤレコーダを制御する制御内容に個々に対応する複数のＤＶＤ用入力キー４、４・・が配置されるが、ＤＶＤレコーダを制御する制御内容に比べてテレビジョン受像機を制御する制御内容の種類が多いので、入力キー数に応じて、球冠状突部２ａにより隔てられる比較的広い面積の長尺側平面２ｂに複数のＴＶ用入力キー３、３・・が、比較的狭い面積の短尺側平面２ｃに、ＤＶＤ用入力キー４、４・・が配置される。
【００３１】
また、球冠状突部２ａの両側の平面には、テレビジョン受像機とＤＶＤレコーダの制御に共通する電源キー５と画面の表示比率を調整する画面モード調整キー６が取り付けられている。
【００３２】
球冠状突部２ａの表面には、トラックボールのような入力操作感が得られる球冠状指示入力装置７が取り付けられている。ここでは、球冠状指示入力装置７は、入力操作する操作者の指が接近することによる静電容量の変化から、非接触で入力操作を検出する静電容量方式の指示入力装置であり、球冠状突部２ａへの入力操作位置を検出するために、球冠状突部２ａの表面に沿って、互いに絶縁状態で直交させた多数の入力検出電極７ａがメッシュ状に配線されている。これにより、球冠状突部２ａの表面に操作者の指を接近させると、接近させた位置の近傍で交差する一対の入力検出電極７ａ間の静電容量が変化し、後述する静電容量検出回路１１が検出する静電容量が変化した一対の入力検出電極７ａの配線位置から、入力操作位置が検出される。
【００３３】
ケース２は、その前方と後方のいずれを握り持っても、握り持った操作者の親指で球冠状指示入力装置７を入力操作が可能な形状であり、いずれの向きでケース２を握ったかを判別する為に、図３に示すように、ケース２の長尺側底面２ｄと短尺側底面２ｅに沿って、一対のグリップ検出電極８ａ、８ｂが固着されている。一対のグリップ検出電極８ａ、８ｂは、同様に静電容量検出回路１１により、その静電容量の変化が検出され、ケース２を握り持った側のグリップ検出電極８の静電容量が変化することから、ケース２を握り持った向きが検出される。グリップ検出電極８ａが固着する長尺側底面２ｄは、長尺側平面２ｂの底面側に、グリップ検出電極８ｂが固着する短尺側底面２ｅは短尺側平面２ｃの底面側にそれぞれ対応するので、例えばグリップ検出電極８ａの静電容量が変化すれば、図５に示す向きで、グリップ検出電極８ｂの静電容量が変化すれば、図６に示す向きで、ケース２が握られたものと判別できる。
【００３４】
また、ケース２の複数のＴＶ用入力キー３、３・・と、複数のＤＶＤ用入力キー４、４・・が配置されたそれぞれの背面側には、図３に示すように、一端面に照光用ＬＥＤ１３ａ、１３ｂが取り付けられた導光散乱板１４ａ、１４ｂが取り付けられ、これらの入力キー３、４を背面側から照光可能となっている。
【００３５】
中空のケース２内には、図４の破線内に示すＭＰＵ９他の各回路部品と、各回路部品が実装されたプリント配線基板１０と、各回路部品の電源となるバッテリー２１が収容されている。静電容量検出回路１１は、多数の入力検出電極７ａと一対のグリップ検出電極８ａ、８ｂの静電容量を周期的に監視し、静電容量が変化した電極の情報をＭＰＵ９へ出力する。ＭＰＵ９は、静電容量が変化した電極から、上述したように、球冠状指示入力装置７への入力操作やケース２が握られた向きを検出する。
【００３６】
キー入力検出回路１２は、ＴＶ用入力キー３、３・・、ＤＶＤ用入力キー４、４・・、電源キー５、及び画面モード調整キー６をキーマトリックスとして、スキャン信号を送信する多数の出力信号線と、スキャン信号を入力する多数の入力信号線で、キーマトリックスの各キーに接続している。いずれかのキーを入力操作すると、そのキーに接続する出力信号線と入力信号線間が接続してスキャン信号が入力信号線に流れるので、キー入力検出回路１２は、スキャン信号を入力した入力信号線とその入力タイミングとから、入力操作された入力キーを検出する。入力操作を検出した入力キーの情報は、キー入力検出回路１２からＭＰＵ９へ出力される。
【００３７】
ＬＥＤドライバ１５は、ＭＰＵ９の制御により、照光用ＬＥＤ１３ａ、１３ｂを点滅制御するもので、グリップ検出電極８ａ、８ｂの静電容量の変化から、ＭＰＵ９において図５に示す向きでケース２が握られたと判定した場合には、照光用ＬＥＤ１３ｂが点灯制御され、図６に示す向きと判定した場合には、照光用ＬＥＤ１３ａが点灯制御される。
【００３８】
制御データ生成手段として機能するＭＰＵ９は、キー入力検出回路１２から入力操作を検出した入力キーの情報入力操作を検出すると、その入力キーに予め関連づけられた制御データをＲＯＭ１６から読み出して生成する。しかしながら、静電容量検出回路１１からの出力によって、ケース２の前方が握られた（図５に示す向き）と判定した場合には、ＴＶ用入力キー３、３・・への入力操作の検出を無視し、ケース２の後方が握られた（図６に示す向き）と判定した場合には、ＤＶＤ用入力キー４、４・・への入力操作の検出を無視し、いずれの場合も、対応する制御データを生成しない。
【００３９】
また、静電容量検出回路１１からの入力により、ＭＰＵ９は、球冠状突部２ａへの入力操作位置を連続して検出し、入力操作位置間の相対位置がほぼ直線上に移動する場合には、球冠状指示入力装置７への直線入力操作と判定し、その入力操作方向や入力移動距離を検出する。また、入力操作位置が、入力操作位置が球冠状突部２ａの円周方向に沿って変化する場合には、球冠状突部２ａの表面に沿って円周方向に指をなぞる球冠状指示入力装置７への回転入力操作であると判定し、その回転操作方向や回転操作角度を検出する。
【００４０】
球冠状指示入力装置７は、テレビジョン受像機とＤＶＤレコーダの制御に共通の入力装置であり、球冠状指示入力装置７への入力操作を検出した場合には、その入力操作方向、入力移動距離、回転操作方向若しくは回転操作角度に応じた種々の制御データを生成するが、ここでは、テレビジョン受像機とＤＶＤレコーダのいずれを制御するかによって、生成する制御データを異ならせている。すなわち、ケース２の前方が握られた（図５に示す向き）と判定した場合には、球冠状指示入力装置７への回転入力操作からＤＶＤレコーダを制御する制御データを生成するものとし、例えば、球冠状指示入力装置７への回転操作方向や回転操作角度に応じて、ＤＶＤレコーダによる再生画面のコマ送りの速度と再生巻き戻し方向を制御する制御データをＲＯＭ１６から読み出して生成する。また、ケース２の後方が握られた（図６に示す向き）と判定した場合には、球冠状指示入力装置７への直線入力操作からテレビジョン受像機を制御する制御データを生成するものとし、例えば、球冠状指示入力装置７への入力操作方向、入力移動距離に応じて、テレビジョン受像機のディスプレーに表示されるカーソルを移動制御する制御データをＲＯＭ１６から読み出して生成する。
【００４１】
ＭＰＵ９は、入力操作に応じた制御データを生成すると、ＲＦ送信モジュール１７へ送信する。ＲＦ送信モジュール１７は、ＭＰＵ９から入力される制御データで変調したＲＦ信号を送信アンテナ１８から送信し、テレビジョン受像器へ制御データを含むＲＦ信号が送信される。このように、制御データは指向性が要求されないＲＦ信号によって被制御機器へ送信されるので、ケース２の送信部を被制御機器へ向けることを意識せずに、ケース２をいずれの向きで握り持っても、入力操作するだけで被制御機器を遠隔制御できる。
【００４２】
尚、ＭＰＵ９に接続するＲＯＭ１６は、ＭＰＵ９、静電容量検出回路１１、キー入力検出回路１２、ＬＥＤドライバ１５、ＲＦ送信モジュール１７等の各部の動作を制御するプログラム、制御データ、ＲＦ信号の送信フォーマットなどを記憶し、ＲＡＭ１９は、ＭＰＵ９の動作中に上記プログラムやデータを一時記憶する。
【００４３】
以下、このように構成されたリモコン１の動作を説明する。被制御機器であるＤＶＤレコーダを制御する場合には、操作者は、図５に示すように、リモコン１のケース２の前方を握り持つ。これにより、長尺側底面２ｄが操作者の手で覆われ、グリップ検出電極８ａの静電容量が変化し、静電容量検出回路１１の出力から、ＭＰＵ９は、ケース２が図５に示す向きで握り持たれたと判定する。
【００４４】
この判定から、ＭＰＵ９は、ＴＶ用入力キー３、３・・の入力操作を検出してもこれを無視するとともに、ＬＥＤドライバ１５へ照光用ＬＥＤ１３ｂを点灯させる命令を出力し、照光用ＬＥＤ１３ｂが点灯して導光散乱板１４ｂに光が散乱し、ＤＶＤ用入力キー４、４・・が背面側から照光される。これにより、操作者は、ＤＶＤ用入力キー４、４・・が入力操作を受け付ける入力キーであると認識する。
【００４５】
ケース２の前方を握り持った親指により、球冠状指示入力装置７をなぞる入力操作が可能であるとともに、ＤＶＤ用入力キー４、４・・、電源キー５及び画面モード調整キー６は、その両側から離れた位置に配置されるので、いずれの入力キーも、親指を手前に折り曲げずに容易に入力操作することができる。球冠状指示入力装置７若しくはこれらのいずれかの入力キー４、５、６への入力操作を検出すると、ＭＰＵ９は、球冠状指示入力装置７の入力操作若しくは入力キーに対応してＲＯＭ１６に記憶されているＤＶＤレコーダを制御する制御データを読み出して生成し、制御データで変調したＲＦ信号が送信アンテナ１８からＤＶＤレコーダへ送信され、ＤＶＤレコーダは制御データに応じた動作を実行する。
【００４６】
また、操作者がテレビジョン受像器を制御しようとする場合には、図６に示すように、リモコン１のケース２の後方を握り持つ。これにより、短尺側底面２ｅが操作者の手で覆われ、グリップ検出電極８ｂの静電容量の変化を静電容量検出回路１１が検出することにより、ＭＰＵ９は、ケース２が図６に示す向きで握り持たれたと判定する。
【００４７】
この判定から、ＭＰＵ９は、ＤＶＤ用入力キー４、４・・の入力操作を検出してもこれを無視するとともに、ＬＥＤドライバ１５へ照光用ＬＥＤ１３ａを点灯させる命令を出力し、点灯制御された照光用ＬＥＤ１３ａの光が導光散乱板１４ａ内を散乱し、ＴＶ用入力キー３、３・・が背面側から照光される。これにより、操作者は、ＴＶ用入力キー３、３・・側が入力操作を受け付ける入力キーであると認識する。
【００４８】
ケース２の後方を握り持った場合には、球冠状指示入力装置７の両側から離れた位置にＴＶ用入力キー３、３・・、電源キー５及び画面モード調整キー６が配置されることとなるので、球冠状指示入力装置７をなぞる親指を折り曲げずに、これらのいずれの入力キーも入力操作することができる。球冠状指示入力装置７若しくはこれらのいずれかの入力キー３、５、６への入力操作を検出すると、ＭＰＵ９は、球冠状指示入力装置７の入力操作若しくは入力キーに対応してＲＯＭ１６に記憶されているテレビジョン受像器を制御する制御データを読み出して生成し、制御データで変調したＲＦ信号が送信アンテナ１８からテレビジョン受像器へ送信され、テレビジョン受像器は制御データに応じた動作を実行する。
【００４９】
上述の実施の形態で、キーマトリックスを形成するＴＶ用入力キー３、３・・、ＤＶＤ用入力キー４、４・・、電源キー５及び画面モード調整キー６は、押圧することにより入力操作するキースイッチで構成したが、これらのいずれか若しくは全ては、抵抗感圧式タッチパネルなどの他の入力操作検出方式を採用してもよい。例えば、静電容量式スイッチで形成した場合には、キー入力検出回路１２の一部若しくは前部を静電容量検出回路１１で代用できる。
【００５０】
更に、上述の実施の形態では、ＲＦ送信モジュールを用いて、制御データをＲＦ信号で送信したが、制御データで変調した赤外制御信号を被制御機器へ送信し、制御データを送信するものであってもよい。
【産業上の利用可能性】
【００５１】
本発明は、１台で２種類の被制御機器を遠隔制御するリモートコントロール送信機に適している。
【符号の説明】
【００５２】
１      リモートコントロール送信機（リモコン）
２      ケース
２ａ    球冠状突部
２ｂ    長尺側平面
２ｃ    短尺側平面
２ｄ    長尺側底面
２ｅ    短尺側底面
３      ＴＶ用入力キー（第１入力操作部）
４      ＤＶＤ用入力キー（第２入力操作部）
７      球冠状指示入力装置（球冠状入力操作部）
８ａ、８ｂ  グリップ検出電極
９      ＭＰＵ（制御データ生成手段）
１１    静電容量検出回路（静電容量式センサ）
１３    照光用ＬＥＤ（照光手段）
１４    導光散乱板（照光手段）
１７    ＲＦ送信モジュール（送信手段）
１８    送信アンテナ（送信手段）
【図１】
2010193108.tif 000003
【図２】
2010193108.tif 000004
【図３】
2010193108.tif 000005
【図４】
2010193108.tif 000006
【図５】
2010193108.tif 000007
【図６】
2010193108.tif 000008
【図７】
2010193108.tif 000009
【図８】
2010193108.tif 000010